(57)【要約】【課題】携帯電話機を家に置き忘れた場合でも、遠隔操作にて携帯電話機内の情報を得ることが可能な移動通信端末及び移動通信端末システムを提供する。【解決手段】本実施形態の移動通信端末では、外部からの遠隔操作情報を受信すると、予め認証情報を登録したサーバへ認証を行う。このときサーバ側では、認証情報と遠隔操作情報とを比較し、比較結果が一致した場合にのみ、移動通信端末内の個人情報を少なくとも一部、サーバへと送信する。【選択図】図１
2007174525.tif 000002
【特許請求の範囲】
【請求項１】
個人情報を格納する第１の記憶部と、
外部機器からの遠隔制御に係る認証情報を格納する第２の記憶部と、
外部機器からの前記個人情報の送信要求に係る遠隔制御情報を受信する遠隔制御情報受信手段と、
前記認証情報と前記遠隔制御情報とを比較する比較手段とを有し、
前記比較の結果、前記認証情報と前記遠隔制御情報とが一致した場合には、前記個人情報のうち少なくとも一部を前記外部機器に送信する送信手段を有することを特徴とする移動通信端末。
【請求項２】
前記認証情報及び前記送信手段にて送信する前記個人情報は、文字列情報、音声情報、画像情報、のうち少なくとも１つを含むことを特徴とする請求項１に記載の移動通信端末。
【請求項３】
前記認証情報と前記遠隔制御情報とに応じて、送信する前記個人情報を設定することを特徴とする請求項１または２に記載の移動通信端末。
【請求項４】
前記外部機器へ送信される前記個人情報の、送信期限を設定する送信期限手段を有することを特徴とする請求項１から３のいずれか１項に記載の移動通信端末。
【請求項５】
移動通信端末と、該移動通信端末への認証を行うサーバとが、ネットワークを介して相互に接続される移動通信システムであって、
前記移動通信端末は、
個人情報を格納する記憶部と、
外部機器からの遠隔制御に係る認証情報を前記サーバに登録する登録手段と、
前記サーバへ前記個人情報を送信する送信手段とを有し、
前記サーバは、
前記移動通信端末によって登録された前記認証情報を格納する格納手段と、
前記外部機器からの遠隔制御情報を受信する遠隔制御情報受信手段と、
登録された前記認証情報と前記遠隔制御情報とを比較する比較手段と、
前記個人情報を受信する受信手段とを有し、
前記サーバでの前記比較の結果、前記認証情報と前記遠隔制御情報とが一致した場合には、前記移動通信端末から前記個人情報のうち少なくとも一部を前記外部機器に送信することを特徴とする移動通信システム。
【請求項６】
前記認証情報及び前記外部機器に送信する前記個人情報は、文字列情報、音声情報、画像情報、のうち少なくとも１つを含むことを特徴とする請求項５に記載の移動通信システム。
【請求項７】
前記認証情報と前記遠隔制御情報とに応じて、送信する前記個人情報を設定することを特徴とする請求項５または６に記載の移動通信システム。
【請求項８】
前記外部機器へ送信される前記個人情報の、送信期限を設定する送信期限手段を有することを特徴とする請求項５から７のいずれか１項に記載の移動通信システム。
【発明の詳細な説明】
【技術分野】
【０００１】
本発明は、遠隔操作にて端末内の情報を得ることができる移動通信端末及び移動通信端末システムに関する。
【０００２】
より詳しくは、携帯電話機などのメモリ内に格納されたデータを、Ｖｏｉｃｅ，Ｗｏｒｄ，番号等の予め登録してあるセキュリティ認証を基に、ＯＴＡ（Ｏｖｅｒ  Ｔｈｅ  Ａｉｒ）を介してリモートコントロールで特定のサーバにアップロードして、データを指定の端末へダウンロードしたり、自動音声読み上げを行う移動通信端末及び移動通信端末システムに関する。
【背景技術】
【０００３】
近年、情報通信端末である携帯電話機やＰＤＡ（Personal Digital Assistant）などが普及し、これらは携帯性を考慮して小型化される一方、インターネットの閲覧やメールの送受信、画像の撮影など、機能面では高性能化が進んでいる。特に、携帯電話機は広く一般に普及し、日常生活に欠かせないものとなっている。
【０００４】
このように、携帯電話機は生活必需品となりつつあるが、この携帯電話機を家などに置き忘れてしまう場合も当然考えられる。一般的に、ユーザは携帯電話機内に様々な情報を保存しているが、この携帯電話機内の保存情報を確認する手段はない。したがって、家に置き忘れた場合などは、わざわざ家まで取りに戻るしか手立てがなかった。
【０００５】
すなわち、従来は、携帯電話機を置き忘れた場合、予め携帯電話機の機能を設定することにより、登録された指定先の電話への転送を行うことは可能であった。しかし、携帯電話機内に保存された情報、例えば電話帳やメールアドレスなどの情報を知る術がなく、自分から連絡を取ることが困難であった。よって、携帯電話機を忘れることは、業務上またはプライベートにおいても、その使用において支障となっていた。
【０００６】
また、メールにおいては、転送設定していなければ確認することができず、さらに、過去のものについては見ることができなかった。したがって、携帯電話機をわざわざ家に取りに戻らなければならず、非常に手間がかかっていた。
【０００７】
このような問題を解決する従来技術としては、特許文献１から特許文献４に記載された発明が公知である。特許文献１には、遠隔操作により任意の電話機で伝言メッセージを再生することができる携帯電話機に関する発明が開示されている。
【０００８】
また、特許文献２には、通信端末に保存された個人データ等のデータを通信サーバに書き込み、又は通信サーバに記憶保存したデータを通信端末に読み出しすることができる通信システム、通信端端末、通信サーバに関する発明が開示されている。
【０００９】
また、特許文献３には、ユーザ端末の個人情報をバックアップする際に、接続コードなどを用いてパソコン等と接続させることなく、個人情報を自動的にバックアップすることができるユーザ端末の個人情報管理システムに関する発明が開示されている。
【００１０】
さらに、特許文献４には、簡単で且つ安全に登録された個人情報を読み出すことが可能であり、利便性を向上した携帯電話機に関する発明が開示されている。
【特許文献１】特開２００２−２３２５５７号公報
【特許文献２】特開２００３−０６９７３３号公報
【特許文献３】特開２００４−１８７２２８号公報
【特許文献４】特開２００４−３３６４５０号公報
【発明の開示】
【発明が解決しようとする課題】
【００１１】
しかし、上述した従来の技術には、以下に述べるような問題があった。
【００１２】
例えば、特許文献１の発明は、リモートアクセスにて電話帳データやメールなどを転送することが開示されているが、リモートアクセスする際の操作には、メールに書き込まれたキーワードを基にしてリモートアクセス操作を行っている。すなわち、リモートアクセスに係るトリガーが、メールのみになっており、外出先でメール環境がない場合には利用できない。さらに、メールの転送については未読メールのみに限定されているので、既読メールに関するデータについては転送ができない。
【００１３】
また、特許文献２、３の発明は、データのバックアップに関するものであり、バックアップデータの保存日時や保存回数についての記載はあるが、リモートアクセスに関するデータ転送などの記載はない。さらに、特許文献４は、音声認証を用いてリモートアクセスする技術についての記載がなされているが、認証手段など全ての機能を携帯電話機内で行うため、機器にかなりの負担がかかってしまう。
【００１４】
このような課題に鑑み、本発明は、遠隔操作にて端末内の情報を得ることができる移動通信端末及び移動通信端末システムを提供することを目的としている。
【課題を解決するための手段】
【００１５】
上記の目的を達成するため、請求項１に記載の発明は、個人情報を格納する第１の記憶部と、外部機器からの遠隔制御に係る認証情報を格納する第２の記憶部と、外部機器からの個人情報の送信要求に係る遠隔制御情報を受信する遠隔制御情報受信手段と、認証情報と遠隔制御情報とを比較する比較手段とを有し、比較の結果、認証情報と遠隔制御情報とが一致した場合には、個人情報のうち少なくとも一部を外部機器に送信する送信手段を有することを特徴とする。
【００１６】
請求項２に記載の発明は、請求項１に記載の移動通信端末において、認証情報及び送信手段にて送信する個人情報は、文字列情報、音声情報、画像情報、のうち少なくとも１つを含むことを特徴とする。
【００１７】
請求項３に記載の発明は、請求項１または２に記載の移動通信端末において、認証情報と遠隔制御情報とに応じて、送信する個人情報を設定することを特徴とする。
【００１８】
請求項４に記載の発明は、請求項１から３のいずれか１項に記載の移動通信端末において、外部機器へ送信される個人情報の、送信期限を設定する送信期限手段を有することを特徴とする。
【００１９】
請求項５に記載の発明は、移動通信端末と、該移動通信端末への認証を行うサーバとが、ネットワークを介して相互に接続される移動通信システムであって、移動通信端末は、個人情報を格納する記憶部と、外部機器からの遠隔制御に係る認証情報をサーバに登録する登録手段と、サーバへ個人情報を送信する送信手段とを有し、サーバは、移動通信端末によって登録された認証情報を格納する格納手段と、外部機器からの遠隔制御情報を受信する遠隔制御情報受信手段と、登録された認証情報と遠隔制御情報とを比較する比較手段と、個人情報を受信する受信手段とを有し、サーバでの比較の結果、認証情報と遠隔制御情報とが一致した場合には、移動通信端末から個人情報のうち少なくとも一部を外部機器に送信することを特徴とする。
【００２０】
請求項６に記載の発明は、請求項５に記載の移動通信システムにおいて、認証情報及び外部機器に送信する個人情報は、文字列情報、音声情報、画像情報、のうち少なくとも１つを含むことを特徴とする。
【００２１】
請求項７に記載の発明は、請求項５または６に記載の移動通信システムにおいて、認証情報と遠隔制御情報とに応じて、送信する個人情報を設定することを特徴とする。
【００２２】
請求項８に記載の発明は、請求項５から７のいずれか１項に記載の移動通信システムにおいて、外部機器へ送信される個人情報の、送信期限を設定する送信期限手段を有することを特徴とする。
【発明の効果】
【００２３】
このように、本発明の移動通信端末及び移動通信端末システムによれば、遠隔操作にて端末内の情報を得ることができる。
【発明を実施するための最良の形態】
【００２４】
以下に、本実施形態における移動通信端末及び移動通信端末システムを、図面を用いて説明する。なお、本実施形態は以下に述べるものに限定されず、その趣旨を逸脱しない範囲において種々変更が可能である。
図１は、本実施形態の移動通信端末システムの一例を示すブロック図である。
【００２５】
図１に示すように、本実施形態の移動通信端末システムは、移動通信端末１００と、情報サーバ２００と、ユーザ端末３００とから主に構成されている。また、移動通信端末１００と、情報サーバ２００と、ユーザ端末３００とは、それぞれ、通信ネットワーク４００を介して相互に接続される。
まず、移動通信端末１００について説明する。
【００２６】
移動通信端末１００は、例えば、携帯電話機やＰＤＡなど、無線通信機能を備えた情報処理装置である。そして、この移動通信端末１００は、無線通信部１０１と、表示部１０２と、操作部１０３と、音声処理部１０４と、スピーカ部１０５と、メモリ１０６と、制御部１０７とを備えている。
【００２７】
無線通信部１０１は、アンテナを介して、図示しない無線基地局装置との間で、無線により情報の送受信を行う。表示部１０２は、画像や図形、文字、記号などの各種情報の表示出力を行う。操作部１０３は、テンキーやスクロールキー、決定キーなどで構成され、各種情報の入力操作を行う。音声処理部１０４は、送話部（マイク）及び受話部（スピーカ）を介して入出力された音声信号の処理を行う。
【００２８】
また、スピーカ部１０５は、楽音、音声、報知音などの鳴音出力を行う。メモリ１０６は、例えば、電話帳情報や、スケジュール情報、アプリケーションプログラムや、移動通信端末１００本体の設定情報、さらには、図示しない撮像手段によって取得した画像情報など、各種情報を格納する。
【００２９】
そして、制御部１０７は、電話機能、メール機能、Ｗｅｂ（インターネット）接続機能や、ユーザ端末３００からのリモートアクセスに基づいて情報の転送（アップロード）を行う機能、さらには、移動通信端末１００の各部の制御など、各種の機能を制御する。
【００３０】
次に、情報サーバ２００について説明する。
情報サーバ２００は、例えば、ワークステーション・サーバなどの情報処理装置である。この情報サーバ２００は、通信Ｉ／Ｆ部２０１と、記憶部２０２と、制御部２０３とを備えている。
【００３１】
通信Ｉ／Ｆ部２０１は、通信ネットワーク４００を介して送受信される各種情報の送受インタフェースである。記憶部２０２は、予め利用者登録がなされている利用者、例えば、移動通信端末１００から送信された情報を格納するものである。制御部２０３は、通信ネットワーク４００を介して移動通信端末１００やユーザ端末３００との情報の送信、受信、及び、これらの情報の格納、抽出にかかる制御や、情報サーバ２００本体の各部の制御を行うものである。
【００３２】
また、ユーザ端末３００に対して音声出力する場合など、すなわち、移動通信端末１００から受信したテキスト情報を音声変換して、合成後、音声出力する場合などには、既知のテキスト解析手段や、音声変換手段を備えることとしてもよい。
【００３３】
さらに、ユーザ端末３００は、電話（音声通信）機能や、データ通信（データダウンロード）機能を備えた、電話端末３０１とＤＬ（ダウンロード）端末３０２とを備えている。これらは、例えば、電話機やＰＣ（パーソナルコンピュータ）などのような汎用の情報処理装置のことであり、このユーザ端末３００は、移動通信端末１００の利用者と同一のユーザにより利用される。
【００３４】
次に、本実施形態の移動通信端末及び移動通信端末システムの動作について、図面を用いて説明する。
図２は、本実施形態の移動通信端末１００において、リモートアクセス機能の事前登録（設定）動作を示すフローチャートである。
【００３５】
まず、移動通信端末１００の利用者によって、操作部１０３から入力があるかを確認する（ステップＳ１１）。利用者からの入力がある場合には（ステップＳ１１／Ｙｅｓ）、移動通信端末１００を情報登録設定モードに移行させる（ステップＳ１２）。ここで、情報登録設定モードに移行させる場合には（ステップＳ１２／Ｙｅｓ）、リモートアクセスサービス情報を登録するステップへと移行する。
【００３６】
一方、ステップＳ１１において、利用者からの入力がない場合には（ステップＳ１１／Ｎｏ）、利用者から入力がなされるまで待機する。また、ステップＳ１２において、移動通信端末１００を情報登録設定モードに移行させない場合には（ステップＳ１２／Ｎｏ）、再度利用者からの入力が行われるまで待機することになる。
【００３７】
移動通信端末１００を情報登録設定モードに移行させた場合には、次に、登録する情報のアップロード先を選択して（ステップＳ１３）、実際に登録する情報を選択し（ステップＳ１４）、さらに、アクセスするための認証情報を選択・入力する（ステップＳ１５）。
【００３８】
ここで、登録される情報としては、例えば、“Ｕｐｌｏａｄする場所”（オペレータ保有サーバ、或いは、ユーザ指定のサーバなど）、“利用するデータ”（電話帳、Ｍａｉｌ情報、画像情報など）、“アクセスするためのセキュリティ（認証）方法及びその情報”（声紋、ワード、番号（数字列）や、音声入力、テレビ電話機能を介する画像入力）、“リモートアクセスサービスを受け付ける相手先”（相手先の端末ＩＤ）、“リモートアクセスサービスの有効期限”（情報サーバ２００からユーザ端末３００へのダウンロード可能期間）などの情報が挙げられる。
【００３９】
そして、登録する情報の入力が完了したかを確認する（ステップＳ１６）。入力が完了していなければ（ステップＳ１６／Ｎｏ）、再度アップロード先を選択するステップＳ１３へと移行する。また、入力が完了している場合には（ステップＳ１６／Ｙｅｓ）、入力された情報を情報サーバ２００へと登録することになる。
【００４０】
また、利用データ（アップロード範囲）と、認証方法とを対応付けることも可能である。例えば、暗証番号認証による場合には、電話帳データ中の所定フォルダのみ情報を開示（アップロード）し、ワード認証と画像認証とによる場合には、電話帳データ中の全てのデータを開示する、というような設定としてもよい。
【００４１】
次に、遠隔制御による情報のアップロード処理について説明する。
図３は、遠隔操作によって、本実施形態の移動通信端末１００から情報サーバ２００へデータをアップロードする場合の動作を示すフローチャートである。
【００４２】
まず、移動通信端末１００内の制御部１０７は、ユーザ端末３００から着信があるかを確認する（ステップＳ２１）。制御部１０７は、通信ネットワーク４００を介するユーザ端末３００のリモートアクセス（着信）を監視している。着信がある場合には（ステップＳ２１／Ｙｅｓ）、このユーザ端末３００からの着信にアップロード要求があるかを確認する（ステップＳ２２）。
【００４３】
ここで、ユーザ端末３００から移動通信端末１００に対し、リモートによるネットワークを経由したアクセスやアップロード要求がある場合、例えば、予め設定登録された相手先端末からのアクセスがある場合には（ステップＳ２２／Ｙｅｓ）、移動通信端末１００はリモートアクセスモードへと移行する。
【００４４】
なお、制御部１０７に対して着信がない場合や（ステップＳ２１／Ｎｏ）、着信がアップロード要求ではない場合には（ステップＳ２２／Ｎｏ）、制御部１０７は、再度着信があるまで監視状態を続行する。
【００４５】
移動通信端末１００がリモートアクセスモードへと移行すると、次に、事前に情報サーバ２００に登録しておいたセキュリティ方法（認証方法）に基づいて、移動通信端末１００から情報サーバ２００へのアップロード要求がなされ、利用者の認証処理が開始される（ステップＳ２３）。この際、制御部１０７は、情報サーバ２００がユーザ端末３００から受信（着信）したワードや番号や画像などの認証情報と、予め設定されメモリ１０６に格納された認証情報とを比較し、一致するか否かを判定する（ステップＳ２４）。
【００４６】
比較した認証情報が一致した場合には（ステップＳ２４／Ｙｅｓ）、情報サーバ２００からユーザ端末３００側への情報の提供（ダウンロード）を許可する。このとき、まず、情報提供の方法（ダウンロード方法）を選択する（ステップＳ２５）。選択されるダウンロード方法としては、例えば、音声によるデータの提供や、ファイルのダウンロードなどが挙げられる。また、移動通信端末１００のリモートアクセス登録設定時に、ダウンロード方法を選択・決定しておくこととしてもよい。
【００４７】
情報提供の方法が選択（決定）されると、アップロードする情報、例えば、電話帳やメール情報などが抽出される（ステップＳ２６）。そして、抽出した情報を、送信先（情報サーバ２００）宛てに送信することになる（ステップＳ２７）。
【００４８】
なお、ステップＳ２４において、比較した認証情報が一致しなかった場合には（ステップＳ２４／Ｎｏ）、認証失敗と見なし情報のアップロード処理を終了させる。
【００４９】
また、上述した認証動作は、制御部１０７ではなく、情報サーバ２００で比較することとしてもよい。また、このような設定はリモートアクセス機能の事前登録時にも設定可能である。例えば、移動通信端末へのリモートアクセスが初回（実質的に初回の場合や、ダウンロード期限が切れた後の場合など）に該当するユーザ端末のみ、制御部１０７にて認証動作を行い、２回目以降のユーザ端末に関しては、情報サーバ２００にて認証を行うこととしてもよい。
【００５０】
次に、ユーザ端末３００からのアクセスに対する情報サーバ２００のダウンロード処理について、図４を用いて説明する。
図４は、情報サーバ２００からユーザ端末３００へデータをダウンロードする場合の動作を示すフローチャートである。
【００５１】
まず、情報サーバ２００は、移動通信端末１００から通信ネットワーク４００を介して、情報を受信する（ステップＳ３１）。次に、受信した情報を、予め設定された利用者ごとの記憶領域にそれぞれ格納する（ステップＳ３２）。
【００５２】
さらに、情報サーバ２００は、ユーザ端末３００からのアクセス、ダウンロード要求に対して所定のユーザ認証を行うことになる。ユーザ端末３００からのアクセスを受信すると（ステップＳ３３）、これがダウンロード要求であるかを確認する（ステップＳ３４）。ダウンロード要求の場合には（ステップＳ３４／Ｙｅｓ）、ダウンロードを要求した利用者の情報について、情報サーバ２００内に格納された当該利用者情報データベースを参照する。このデータベースを参照して、利用者がリモートアクセスサービスの有効期限内であるか、すなわち、ダウンロード可能な期限内であるかを判定することになる（ステップＳ３６）。
【００５３】
ここで、ダウンロードが可能な期間内であると判定された場合には（ステップＳ３６／Ｙｅｓ）、ダウンロード要求のあった情報を抽出して、データや音声など各種情報の送信を行う（ステップＳ３７）。
また、ステップＳ３６においてダウンロード期間外であると判定された場合や（ステップＳ３６／Ｎｏ）、ステップＳ３４においてユーザ端末３００からのアクセスがダウンロード要求ではない場合には（ステップＳ３４／Ｎｏ）、それぞれ処理を終了させる。
【００５４】
以上、本実施形態の移動通信端末及び移動通信端末システムによれば、外部や移動通信端末１００のある場所とは別の場所から、移動通信端末１００のデータを確認することができる。したがって、家に携帯電話機を取りに帰るような、無駄な時間、手間の節約を図ることが可能となる。
【００５５】
また、データ自体は、移動通信端末１００、情報サーバ２００を介して、ユーザ端末３００にて取得されるが、このデータ取得の際に必要な認証情報となる格納データは、情報サーバ２００内に所定期間保持される。したがって、各々の段階でのユーザ認証などによって、秘匿が必要なデータを不用意に第三者に取得される虞がなくなる。
【００５６】
なお、本実施形態において、“アクセスするためのセキュリティ（認証）方法及びその情報”については、前述した特許文献１に開示されたメールによる認証のみならず、Ｖｏｉｃｅ（音声）認証や、顔認証などの方法にて利用が可能である。このようにすることで、例えば公衆電話などからでもＶｏｉｃｅ認証にてリモートアクセス操作が可能となる。
【００５７】
また、“利用するデータ”に関しては、単に該当するデータを転送するのみならず、例えばメール／電話帳データなどに対する読み上げ機能も備えている。さらには、転送するメールに関して言えば、メールの未読・既読に関わらず、必要な人のデータ分だけ、登録されたグループ単位・発信者毎に、転送や音声読み上げなどの設定を行うことが可能である。
【図面の簡単な説明】
【００５８】
【図１】本実施形態の移動通信端末及び移動通信端末システムに係る構成を示すブロック図である。
【図２】移動通信端末１００において、リモートアクセス機能の事前登録（設定）動作を示すフローチャートである。
【図３】移動通信端末１００から情報サーバ２００へデータをアップロードする場合の動作を示すフローチャートである。
【図４】情報サーバ２００からユーザ端末３００へデータをダウンロードする場合の動作を示すフローチャートである。
【符号の説明】
【００５９】
１００    移動通信端末
１０１    無線通信部
１０２    表示部
１０３    操作部
１０４    音声処理部
１０５    スピーカ部
１０６    メモリ
１０７，２０３    制御部
２００    情報サーバ
２０１    通信Ｉ／Ｆ部
２０２    記憶部
３００    ユーザ端末
３０１    電話端末
３０２    ＤＬ端末
【図１】
2007174525.tif 000003
【図２】
2007174525.tif 000004
【図３】
2007174525.tif 000005
【図４】
2007174525.tif 000006